(57)【要約】【課題】  ２つのラインセンサを用いて原稿の両面を読み取ることができ、製造コストがより低減された原稿読取装置を提供することを目的とする。【解決手段】  表面用ＣＣＤラインセンサ及び裏面用ＣＣＤラインセンサを用いて原稿の両面を読み取る。表面用ＣＣＤラインセンサにＳＨパルスを出力する第１出力期間Ｔ１と、裏面用ＣＣＤラインセンサにＳＨパルスを出力する第２出力期間Ｔ２とを交互に切り替えて、その切替タイミングに応じて、１つの転送パルス出力部から出力する転送パルスを表面用シフトレジスタ及び裏面用シフトレジスタに交互に切り替えて入力する。これにより、表面用シフトレジスタ及び裏面用シフトレジスタへ転送パルスを出力する転送パルス出力部を別個に設ける必要がないので、製造コストをより低減することができる。【選択図】  図３
2008227989.tif 000002
【特許請求の範囲】
【請求項１】
原稿の表面及び裏面に光を照射し、上記表面からの反射光を第１ラインセンサにより１ラインごとに蓄積して光電変換し、当該光電変換により生成されたラインデータを第１シフトレジスタに入力するとともに、上記裏面からの反射光を第２ラインセンサにより１ラインごとに蓄積して光電変換し、当該光電変換により生成されたラインデータを第２シフトレジスタに入力し、そのラインデータをデジタル値に変換することにより原稿の両面の画像データを生成する原稿読取装置であって、
上記第１及び第２ラインセンサに対してそれぞれ同一の読取周期でＳＨパルスを出力するＳＨパルス出力手段と、
上記第１及び第２シフトレジスタに入力されたラインデータを転送させるための転送パルスを出力する転送パルス出力手段とを備え、
上記ＳＨパルス出力手段は、それぞれ上記読取周期の半分の期間からなる第１出力期間及び第２出力期間を交互に切り替えて、上記第１出力期間をパルス幅とする第１ＳＨパルスを上記第１ラインセンサに出力するとともに、上記第２出力期間をパルス幅とする第２ＳＨパルスを上記第２ラインセンサに出力し、
上記転送パルス出力手段は、上記第１出力期間中に上記第２シフトレジスタに転送パルスを出力するとともに、上記第２出力期間中に上記第１シフトレジスタに転送パルスを出力することを特徴とする原稿読取装置。
【請求項２】
原稿の表面及び裏面の読取解像度を設定する読取解像度設定手段と、
上記読取解像度設定手段により原稿の表面と裏面とで異なる読取解像度が設定された場合に、上記第１及び第２シフトレジスタから転送されデジタル化された原稿の表面及び裏面の各画像データのうち、読取解像度がより低く設定されている読取面の画像データの副走査方向の解像度を低下させる解像度変換手段とを備えたことを特徴とする請求項１に記載の原稿読取装置。
【発明の詳細な説明】
【技術分野】
【０００１】
本発明は、原稿読取装置に係り、さらに詳しくは、原稿の両面を読取可能な原稿読取装置に関する。
【背景技術】
【０００２】
原稿の両面を読取可能な原稿読取装置としては、１つのラインセンサを用いて原稿を表裏反転させることにより表面及び裏面を順次に読み取るものの他に、原稿の表面及び裏面をそれぞれ読み取るための２つのラインセンサを用いて両面を並行して読み取ることができるものが知られている。２つのラインセンサを用いて原稿の両面を並行して読取可能な原稿読取装置では、原稿を表裏反転させるような構成と比べて、より高速で原稿を読み取ることができる。
【０００３】
このような２つのラインセンサを備えた原稿読取装置では、原稿の表面及び裏面に光を照射し、表面からの反射光を一方のラインセンサで１ラインごとに蓄積して光電変換するとともに、裏面からの反射光を他方のラインセンサで１ラインごとに蓄積して光電変換することにより、原稿の両面についてそれぞれラインデータを生成することができる（例えば、特許文献１）。このようにして生成された原稿の表面及び裏面の各ラインデータは、各ラインセンサから対応するシフトレジスタに入力され、これらのシフトレジスタから表面及び裏面の各ラインデータが交互に転送されて１ラインごとに合成される。そして、合成されたラインデータをＡ／Ｄ変換器によりデジタル値に変換し、圧縮処理などの画像処理が行われるようになっている。
【０００４】
図５は、従来の原稿読取装置の一例を示したブロック図である。この原稿読取装置は、原稿の表面を読み取るための表面用ＣＣＤ(Charge Coupled Devices)ユニット１０４Ａと、原稿の裏面を読み取るための裏面用ＣＣＤユニット１０４Ｂとを備え、これらのＣＣＤユニット１０４Ａ，１０４Ｂを用いて原稿の両面を並行して読み取ることができるようになっている。
【０００５】
表面用ＣＣＤユニット１０４Ａには、原稿の表面からの反射光を受光する表面用ＣＣＤラインセンサ１４１Ａと、当該表面用ＣＣＤラインセンサ１４１Ａにより生成されたラインデータが入力される表面用シフトレジスタ１４２Ａとが備えられている。一方、裏面用ＣＣＤユニット１０４Ｂには、原稿の裏面からの反射光を受光する裏面用ＣＣＤラインセンサ１４１Ｂと、当該裏面用ＣＣＤラインセンサ１４１Ｂにより生成されたラインデータが入力される裏面用シフトレジスタ１４２Ｂとが備えられている。
【０００６】
この例では、表面用ＣＣＤユニット１０４Ａ及び裏面用ＣＣＤユニット１０４Ｂは、それぞれ異なる駆動回路によって駆動されるようになっている。すなわち、表面用ＣＣＤユニット１０４Ａは、表面用ＣＣＤ駆動回路１４０Ａにより駆動され、裏面用ＣＣＤユニット１０４Ｂは、裏面用ＣＣＤ駆動回路１４０Ｂにより駆動されるようになっている。表面用ＣＣＤ駆動回路１４０Ａには、表面用ＳＨ(Shift)パルス出力部１４３Ａ及び表面用転送パルス出力部１４４Ａが備えられている。一方、裏面用ＣＣＤ駆動回路１４０Ｂには、裏面用ＳＨパルス出力部１４３Ｂ及び裏面用転送パルス出力部１４４Ｂが備えられている。
【０００７】
表面用ＳＨパルス出力部１４３Ａは、表面用ＣＣＤラインセンサ１４１Ａにおける１ライン分の光蓄積時間を規定する所定の読取周期でＳＨパルスを出力する。すなわち、表面用ＳＨパルス出力部１４３ＡからＳＨパルスが出力されると、表面用ＣＣＤラインセンサ１４１Ａから表面用シフトレジスタ１４２Ａにラインデータが入力され、当該表面用ＣＣＤラインセンサ１４１Ａの蓄積電荷がリセットされた後、上記読取周期で次のＳＨパルスが入力されるまで、原稿の次のラインからの反射光が表面用ＣＣＤラインセンサ１４１Ａに蓄積されるようになっている。裏面用ＳＨパルス出力部１４３Ｂは、表面ＳＨパルス出力部１４３Ａと同様の態様で、裏面用ＣＣＤラインセンサ１４１Ｂにおける１ライン分の光蓄積時間を規定する所定の読取周期でＳＨパルスを出力する。
【０００８】
表面用転送パルス出力部１４４Ａは、表面用シフトレジスタ１４２Ａへ転送パルスを出力することにより、表面用ＣＣＤラインセンサ１４１Ａから表面用シフトレジスタ１４２Ａに入力されたラインデータを合成回路１４５へ転送させる。一方、裏面用転送パルス出力部１４４Ｂは、裏面用シフトレジスタ１４２Ｂへ転送パルスを出力することにより、裏面用ＣＣＤラインセンサ１４１Ｂから裏面用シフトレジスタ１４２Ｂに入力されたラインデータを合成回路１４５へ転送させる。表面用シフトレジスタ１４２Ａ及び裏面用シフトレジスタ１４２Ｂから交互にラインデータを転送させることにより、合成回路１４５において１ラインごとに原稿の表面及び裏面の各ラインデータを合成することができる。そして、合成回路１４５により合成されたラインデータはＡ／Ｄ変換回路１４９によりデジタル化され、画像処理回路１４７において圧縮処理などの画像処理が行われる。
【０００９】
図６は、図５の原稿読取装置で原稿の両面を読み取る際に出力されるＳＨパルス及び転送パルスの波形図である。この例では、図６（ａ）及び（ｃ）に示すように、表面用ＳＨパルス出力部１４３Ａ及び裏面用ＳＨパルス出力部１４３Ｂは、同一の読取周期ＴＲで交互にＳＨパルスを出力している。
【００１０】
表面用ＳＨパルス出力部１４３ＡからＳＨパルスが出力されると、前回のＳＨパルス出力時からそれまでに表面用ＣＣＤラインセンサ１４１Ａに蓄積された光を光電変換することにより生成されたラインデータが、表面用ＣＣＤラインセンサ１４１Ａから表面用シフトレジスタ１４２Ａに入力される。そのため、図６（ｂ）に示すように、表面用ＳＨパルス出力部１４３ＡからＳＨパルスが出力されているときには、表面用転送パルス出力部１４４Ａから転送パルスが出力されないようになっている。
【００１１】
同様に、裏面用ＳＨパルス出力部１４３ＢからＳＨパルスが出力されると、前回のＳＨパルス出力時からそれまでに裏面用ＣＣＤラインセンサ１４１Ｂに蓄積された光を光電変換することにより生成されたラインデータが、裏面用ＣＣＤラインセンサ１４１Ｂから裏面用シフトレジスタ１４２Ｂに入力される。そのため、図６（ｄ）に示すように、裏面用ＳＨパルス出力部１４３ＢからＳＨパルスが出力されているときには、裏面用転送パルス出力部１４４Ｂから転送パルスが出力されないようになっている。
【００１２】
ここで、表面用ＳＨパルス出力部１４３Ａ及び裏面用ＳＨパルス出力部１４３ＢからそれぞれＳＨパルスが出力される周期は、原稿の読取解像度に応じて変更することができるようになっている。すなわち、原稿の読取解像度が高く設定されるほど読取周期ＴＲを長くすることにより、ＣＣＤラインセンサ１４１Ａ，１４１Ｂによって光電変換される１ライン分のデータ量を増加させ、原稿の読取解像度が低く設定されるほど読取周期ＴＲを短くすることにより、ＣＣＤラインセンサ１４１Ａ，１４１Ｂによって光電変換される１ライン分のデータ量を減少させることができる。
【特許文献１】特開平７−５８９４５号公報
【発明の開示】
【発明が解決しようとする課題】
【００１３】
しかしながら、図５及び図６に示すような従来の原稿読取装置では、表面用ＣＣＤユニット１０４Ａ及び裏面用ＣＣＤユニット１０４Ｂをそれぞれ駆動させるために、２つの駆動回路を設けなければならないという問題があった。すなわち、表面用ＳＨパルス出力部１４３ＡからＳＨパルスが出力されていないときに表面用シフトレジスタ１４２Ａへ転送パルスを出力する表面用転送パルス出力部１４４Ａと、裏面用ＳＨパルス出力部１４３ＢからＳＨパルスが出力されていないときに裏面用シフトレジスタ１４２Ｂへ転送パルスを出力する裏面用転送パルス出力部１４４Ｂとを別個に設けなければならないという問題があった。
【００１４】
また、原稿の表面と裏面とで異なる読取解像度が設定された場合には、表面用ＳＨパルス出力部１４３Ａ及び裏面用ＳＨパルス出力部１４３ＢからそれぞれＳＨパルスを出力する周期を異ならせる必要がある。そのため、表面用ＳＨパルス出力部１４３Ａと裏面用ＳＨパルス出力部１４３Ｂとを別個に設けなければならないという問題があった。
【００１５】
このように、表面用ＣＣＤユニット１０４Ａ及び裏面用ＣＣＤユニット１０４Ｂをそれぞれ駆動させるために２つの駆動回路を設けた場合には、原稿読取装置の製造コストが高くなるといった問題がある。
【００１６】
本発明は、上記の事情に鑑みてなされたものであり、２つのラインセンサを用いて原稿の両面を読み取ることができ、製造コストがより低減された原稿読取装置を提供することを目的とする。
【課題を解決するための手段】
【００１７】
第１の本発明による原稿読取装置は、原稿の表面及び裏面に光を照射し、上記表面からの反射光を第１ラインセンサにより１ラインごとに蓄積して光電変換し、当該光電変換により生成されたラインデータを第１シフトレジスタに入力するとともに、上記裏面からの反射光を第２ラインセンサにより１ラインごとに蓄積して光電変換し、当該光電変換により生成されたラインデータを第２シフトレジスタに入力し、そのラインデータをデジタル値に変換することにより原稿の両面の画像データを生成する原稿読取装置であって、上記第１及び第２ラインセンサに対してそれぞれ同一の読取周期でＳＨパルスを出力するＳＨパルス出力手段と、上記第１及び第２シフトレジスタに入力されたラインデータを転送させるための転送パルスを出力する転送パルス出力手段とを備え、上記ＳＨパルス出力手段が、それぞれ上記読取周期の半分の期間からなる第１出力期間及び第２出力期間を交互に切り替えて、上記第１出力期間をパルス幅とする第１ＳＨパルスを上記第１ラインセンサに出力するとともに、上記第２出力期間をパルス幅とする第２ＳＨパルスを上記第２ラインセンサに出力し、上記転送パルス出力手段が、上記第１出力期間中に上記第２シフトレジスタに転送パルスを出力するとともに、上記第２出力期間中に上記第１シフトレジスタに転送パルスを出力するように構成される。
【００１８】
このような構成によれば、第１ラインセンサに第１ＳＨパルスを出力する第１出力期間と、第２ラインセンサに第２ＳＨパルスを出力する第２出力期間とを交互に切り替えて、その切替タイミングに応じて、１つの転送パルス出力手段から出力する転送パルスを第１及び第２シフトレジスタに交互に切り替えて入力することができる。このようにして、第１及び第２シフトレジスタに入力された原稿の表面及び裏面の各ラインデータを転送パルスに基づいて転送することにより、２つのラインセンサを用いて原稿の両面を読み取ることができる。また、第１及び第２シフトレジスタへ転送パルスを出力する転送パルス出力手段を別個に設ける必要がないので、製造コストをより低減することができる。
【００１９】
第２の本発明による原稿読取装置は、上記構成に加えて、原稿の表面及び裏面の読取解像度を設定する読取解像度設定手段と、上記読取解像度設定手段により原稿の表面と裏面とで異なる読取解像度が設定された場合に、上記第１及び第２シフトレジスタから転送されデジタル化された原稿の表面及び裏面の各画像データのうち、読取解像度がより低く設定されている読取面の画像データの副走査方向の解像度を低下させる解像度変換手段とを備えて構成される。
【００２０】
このような構成によれば、原稿の表面と裏面とで異なる読取解像度が設定された場合であっても、第１及び第２ラインセンサにＳＨパルスを出力する周期を変更することなく、第１及び第２シフトレジスタから転送されデジタル化された原稿の表面及び裏面の各画像データのうち、読取解像度がより低く設定されている読取面の画像データの副走査方向の解像度を低下させることができる。したがって、第１及び第２ラインセンサにＳＨパルスを出力する周期を変更するような構成とは異なり、１つのＳＨパルス出力手段を用いて一定の周期でＳＨパルスを出力することができるので、製造コストをさらに低減することができる。
【発明の効果】
【００２１】
本発明によれば、第１ラインセンサに第１ＳＨパルスを出力する第１出力期間と、第２ラインセンサに第２ＳＨパルスを出力する第２出力期間とを交互に切り替えて、その切替タイミングに応じて、１つの転送パルス出力手段から出力する転送パルスを第１及び第２シフトレジスタに交互に切り替えて入力することができる。これにより、２つのラインセンサを用いて原稿の両面を読み取ることができるとともに、第１及び第２シフトレジスタへ転送パルスを出力する転送パルス出力手段を別個に設ける必要がないので、製造コストをより低減することができる。
【発明を実施するための最良の形態】
【００２２】
図１は、本発明の実施の形態による原稿読取装置１の内部構成の一例を示した概略図である。この原稿読取装置１では、原稿トレイ２上に複数枚の原稿をセットすることができるようになっており、この原稿トレイ２上の原稿を原稿搬送機構３によって１枚ずつ順次に搬送し、各原稿の表面及び裏面の画像を２つのＣＣＤユニット４Ａ，４Ｂで並行して読み取ることにより、各原稿の両面の画像データを生成することができる。この原稿読取装置１で読取可能な原稿には、紙に限らず、その他の薄いシート状の原稿が含まれるものとする。
【００２３】
原稿搬送機構３は、ピックアップローラ５、給紙ローラ６、分離ローラ７、複数の搬送ローラ８及び排出ローラ９を含む原稿搬送手段である。原稿トレイ２上の原稿は、回転するピックアップローラ５によって１枚ずつ順次に搬送路１０へ送り出される。このとき、互いに重なり合う原稿間に生じる静電気等に起因して、２枚以上の原稿が重なった状態で搬送路１０へ送り出されることにより、いわゆる重送が発生する場合がある。このような重送が発生した場合には、分離ローラ７によって２枚目以降の原稿が分離されて原稿トレイ２に送り返されることにより、１枚目の原稿のみが搬送路１０へと搬送されるようになっている。
【００２４】
ここで、給紙ローラ６及び分離ローラ７は、搬送路１０を挟んで互いに対向するように配置されている。給紙ローラ６は、ピックアップローラ５と同様に、搬送路１０内の用紙を下流側へ搬送する方向に回転する。一方、分離ローラ７は、搬送路１０内の用紙を上流側へ送り返す方向に回転する。これにより、ピックアップローラ５によって２枚以上の原稿が重なった状態で搬送路１０へ送り出された場合でも、１枚目の原稿を給紙ローラ６により下流側へ搬送しつつ、２枚目以降の原稿を分離ローラ７により原稿トレイ２に送り返すことができる。
【００２５】
給紙ローラ６から搬送路１０の下流側へ送り出された原稿は、搬送路１０に設けられた複数の搬送ローラ８によってさらに下流側へと搬送され、排出ローラ９を通って外部へ排出される。搬送路１０内を搬送される原稿は、搬送路１０の途中に設けられた２つのＣＣＤユニット４Ａ，４Ｂによって表面及び裏面の画像が読み取られ、当該原稿の両面の画像データが生成される。
【００２６】
２つのＣＣＤユニット４Ａ，４Ｂは、それぞれ原稿の画像を光学的に読み取る原稿読取手段であり、原稿の表面を読み取るための表面用ＣＣＤユニット４Ａと、原稿の裏面を読み取るための裏面用ＣＣＤユニット４Ｂとからなる。これらのＣＣＤユニット４Ａ，４Ｂは、搬送路１０を挟んで互いに対向するように配置され、搬送路１０内の共通の読取位置に向けて互いに逆方向に光を照射し、当該読取位置を通過する原稿からの反射光を受光することにより、その受光量に応じた電気信号を出力する。
【００２７】
より具体的には、表面用ＣＣＤユニット４Ａには、搬送路１０内の原稿の表面に向けて光を照射する光源や、原稿の表面からの反射光を１ラインごとに蓄積して光電変換する表面用ＣＣＤラインセンサなどが備えられている。一方、裏面用ＣＣＤユニット４Ｂには、搬送路１０内の原稿の裏面に向けて光を照射する光源や、原稿の裏面からの反射光を１ラインごとに蓄積して光電変換する裏面用ＣＣＤラインセンサなどが備えられている。
【００２８】
表面用ＣＣＤユニット４Ａ及び裏面用ＣＣＤユニット４Ｂに備えられた各ＣＣＤラインセンサは、受光素子としてのＣＣＤがライン状に複数配置されることにより構成されている。原稿の両面読取時には、表面用ＣＣＤユニット４Ａ及び裏面用ＣＣＤユニット４Ｂの各ＣＣＤラインセンサの複数のＣＣＤから受光量に応じた信号が出力されることにより主走査が実現され、１回の主走査につき１ライン分のラインデータが生成される。一方、各ＣＣＤラインセンサの複数のＣＣＤが並ぶ方向に対して直交方向に原稿が搬送されることにより、副走査が実現されるようになっている。
【００２９】
搬送路１０の途中には、搬送路１０内を通過する原稿を検知するための複数の原稿検知センサ１１，１２，１３が設けられている。この例では、給紙ローラ６の下流側に第１原稿検知センサ１１が設けられ、第１原稿検知センサ１１の下流側かつＣＣＤユニット４Ａ，４Ｂの読取位置の上流側に第２原稿検知センサ１２が設けられ、ＣＣＤユニット４Ａ，４Ｂの読取位置の下流側に第３原稿検知センサ１３が設けられている。これらの原稿検知センサ１１，１２，１３は、例えば光学センサからなり、搬送路１０に向かって光を照射し、搬送路１０内を通過する原稿からの反射光を受光することによって原稿を検知することができる。
【００３０】
第１原稿検知センサ１１は、給紙ローラ６を通って搬送路１０内へ送り込まれた原稿を検知する。この第１原稿検知センサ１１からの出力信号に基づいて、原稿の有無を判定することができる。第２原稿検知センサ１２は、搬送路１０内を搬送される原稿の先端及び後端を検知する。この第２原稿検知センサ１２からの出力信号に基づいて原稿の先端位置及び後端位置を特定し、それらの各位置に応じたタイミングで読取開始及び読取終了の制御を行うことにより、原稿の先端から後端まで正確に読み取ることができ、原稿の読取範囲がずれるのを防止できる。第３原稿検知センサ１３は、ＣＣＤユニット４Ａ，４Ｂの読取位置を通過した原稿を検知する。この第３原稿検知センサ１３からの出力信号に基づいて、後続の原稿を搬送路１０に送り出すタイミングを決定することができる。
【００３１】
図２は、この原稿読取装置１の電気的構成を示したブロック図である。表面用ＣＣＤユニット４Ａには、上述の表面用ＣＣＤラインセンサ４１Ａの他、当該表面用ＣＣＤラインセンサ４１Ａの光電変換により生成されたラインデータが入力される表面用シフトレジスタ４２Ａが備えられている。一方、裏面用ＣＣＤユニット４Ｂには、上述の裏面用ＣＣＤラインセンサ４１Ｂの他、当該裏面用ＣＣＤラインセンサ４１Ｂの光電変換により生成されたラインデータが入力される裏面用シフトレジスタ４２Ｂが備えられている。
【００３２】
本実施の形態では、表面用ＣＣＤユニット４Ａ及び裏面用ＣＣＤユニット４Ｂが、それぞれ共通のＣＣＤ駆動回路４０により駆動されるようになっている。このＣＣＤ駆動回路４０には、ＳＨパルス出力部４３及び転送パルス出力部４４が備えられている。ＳＨパルス出力部４３は、表面用ＣＣＤラインセンサ４１Ａ及び裏面用ＣＣＤラインセンサ４１Ｂに対してそれぞれ同一の読取周期でＳＨパルスを出力するＳＨパルス出力手段である。表面用ＣＣＤラインセンサ４１Ａは、ＳＨパルス出力部４３から入力されたＳＨパルスに基づいて、表面用シフトレジスタ４２Ａにラインデータを入力する。一方、裏面用ＣＣＤラインセンサ４１Ｂは、ＳＨパルス出力部４３から入力されたＳＨパルスに基づいて、裏面用シフトレジスタ４２Ｂにラインデータを入力する。
【００３３】
ＳＨパルス出力部４３からＳＨパルスが出力される周期は、表面用ＣＣＤラインセンサ４１Ａ及び裏面用ＣＣＤラインセンサ４１Ｂにおける１ライン分の光蓄積時間を規定している。すなわち、ＳＨパルス出力部４３から表面用ＣＣＤラインセンサ４１ＡへＳＨパルスが出力されると、表面用ＣＣＤラインセンサ４１Ａから表面用シフトレジスタ４２Ａにラインデータが入力され、当該表面用ＣＣＤラインセンサ４１Ａの蓄積電荷がリセットされた後、上記読取周期で次のＳＨパルスが入力されるまで、原稿の表面における次のラインからの反射光が表面用ＣＣＤラインセンサ４１Ａに蓄積されるようになっている。
【００３４】
同様に、ＳＨパルス出力部４３から裏面用ＣＣＤラインセンサ４１ＢへＳＨパルスが出力されると、裏面用ＣＣＤラインセンサ４１Ｂから裏面用シフトレジスタ４２Ｂにラインデータが入力され、当該裏面用ＣＣＤラインセンサ４１Ｂの蓄積電荷がリセットされた後、上記読取周期で次のＳＨパルスが入力されるまで、原稿の裏面における次のラインからの反射光が裏面用ＣＣＤラインセンサ４１Ｂに蓄積されるようになっている。
【００３５】
転送パルス出力部４４は、表面用シフトレジスタ４２Ａ及び裏面用シフトレジスタ４２Ｂへ転送パルスを出力する転送パルス出力手段である。表面用シフトレジスタ４２Ａは、転送パルス出力部４４からの転送パルスに基づいて、表面用ＣＣＤラインセンサ４１Ａから入力された原稿の表面のラインデータを合成回路４５へ転送する。一方、裏面用シフトレジスタ４２Ｂは、転送パルス出力部４４からの転送パルスに基づいて、裏面用ＣＣＤラインセンサ４１Ｂから入力された原稿の裏面のラインデータを合成回路４５へ転送する。
【００３６】
転送パルス出力部４４は、表面用シフトレジスタ４２Ａ及び裏面用シフトレジスタ４２Ｂに対して、所定の周期で交互に転送パルス出力している。これにより、表面用シフトレジスタ４２Ａ及び裏面用シフトレジスタ４２Ｂから合成回路４５へ交互にラインデータが転送され、合成回路４５において１ラインごとに原稿の表面及び裏面の各ラインデータが１つの連続したラインデータに合成される。そして、そのラインデータがＡ／Ｄ変換回路４９でデジタル値に変換されることにより、原稿の両面の画像データが生成されるようになっている。
【００３７】
合成回路４５において合成されＡ／Ｄ変換回路４９によりデジタル化された原稿の表面及び裏面の各画像データは、必要に応じて解像度変換回路４６により副走査方向の解像度が変換された後、画像処理回路４７において所定の画像処理が行われ、メモリ（図示せず）に格納される。画像処理回路４７により行われる画像処理には、主走査方向の解像度変換やシェーディング補正、圧縮処理の他、２値化処理などの各種画像処理が含まれていてもよい。
【００３８】
読取解像度設定部４８は、原稿の表面及び裏面の読取解像度を設定する読取解像度設定手段であり、原稿の表面と裏面とで別々に読取解像度を設定することができる。原稿の読取解像度は、ユーザが数値を直接入力することにより設定されるような構成であってもよいし、変倍率などの他の数値をユーザが設定した場合に、その数値に対応する読取解像度が設定されるような構成であってもよい。
【００３９】
本実施の形態では、ユーザ操作に基づいて読取解像度設定部４８により設定された原稿の読取解像度に応じて、原稿搬送機構３による原稿の搬送速度が変更されるようになっている。すなわち、原稿の読取解像度が高く設定されるほど原稿の搬送速度を遅くすることにより、原稿を読み取る際の単位面積当たりの画素数を増加させ、原稿の読取解像度が低く設定されるほど原稿の搬送速度を速くすることにより、原稿を読み取る際の単位面積当たりの画素数を減少させるようになっている。より具体的には、読取解像度設定部４８により設定された原稿の表面及び裏面の読取解像度のうち、より高く設定されている読取解像度に対応する搬送速度で原稿が搬送されるようになっている。
【００４０】
解像度変換回路４６は、読取解像度設定部４８により設定された原稿の表面及び裏面の読取解像度に基づいて、画像処理回路４７へ出力する画像データの副走査方向の解像度（出力解像度）を変換する解像度変換手段である。上記の通り、読取解像度設定部４８により原稿の表面と裏面とで異なる読取解像度が設定されている場合でも、より高く設定されている読取解像度に対応する搬送速度で原稿が搬送されるようになっているため、Ａ／Ｄ変換回路４９から出力されるデジタル化された原稿の表面及び裏面の各画像データの解像度は同一である。
【００４１】
そこで、本実施の形態では、合成回路４５から出力されデジタル化された原稿の表面及び裏面の各画像データのうち、読取解像度がより低く設定されている読取面の画像データの副走査方向の解像度を低下させる処理を解像度変換回路４６で行うことにより、画像処理回路４７へ出力される画像データの副走査方向の解像度を原稿の表面と裏面とで異ならせている。解像度変換回路４６により行われる原稿の表面又は裏面の画像データの副走査方向の解像度を低下させる処理は、当該画像データのライン数を減少させるような処理であれば、例えば一部のラインを間引く処理などであってもよい。
【００４２】
図３は、図２の原稿読取装置１で原稿の両面を読み取る際に出力されるＳＨパルス及び転送パルスの波形図である。図３（ａ）及び（ｂ）に示すように、ＳＨパルス出力部４３は、表面用ＣＣＤラインセンサ４１Ａ及び裏面用ＣＣＤラインセンサ４１Ｂに対して、同一の読取周期ＴＲで交互にＳＨパルスを出力している。
【００４３】
ＳＨパルス出力部４３から表面用ＣＣＤラインセンサ４１Ａに出力されるＳＨパルス（以下、「表面ＳＨパルス」と呼ぶ。）のパルス幅は、読取周期ＴＲの半分の期間からなる第１出力期間Ｔ１に対応している。一方、ＳＨパルス出力部４３から裏面用ＣＣＤラインセンサ４１Ｂに出力されるＳＨパルス（以下、「裏面ＳＨパルス」と呼ぶ。）のパルス幅は、読取周期ＴＲの半分の期間からなる第２出力期間Ｔ２に対応している。すなわち、ＳＨパルス出力部４３は、それぞれ読取周期ＴＲの半分の周期からなる第１出力期間Ｔ１及び第２出力期間Ｔ２を交互に切り替えて、第１出力期間Ｔ１をパルス幅とする表面ＳＨパルスを表面用ＣＣＤラインセンサ４１Ａに出力するとともに、第２出力期間Ｔ２をパルス幅とする裏面ＳＨパルスを裏面用ＣＣＤラインセンサ４１Ｂに出力する。
【００４４】
転送パルス出力部４４は、第１出力期間Ｔ１及び第２出力期間Ｔ２よりも短い一定周期で転送パルスを出力しており、転送パルスの出力先を一定時間ごとに表面用シフトレジスタ４２Ａと裏面用シフトレジスタ４２Ｂとで交互に切り替えている。より具体的には、表面用ＣＣＤラインセンサ４１Ａに表面ＳＨパルスが出力されている第１出力期間Ｔ１は、裏面用シフトレジスタ４２Ｂに転送パルスが出力される裏面転送期間とされ、裏面用ＣＣＤラインセンサ４１Ｂに裏面ＳＨパルスが出力されている第２出力期間Ｔ２は、表面用シフトレジスタ４２Ａに転送パルスが出力される表面転送期間とされている。
【００４５】
すなわち、表面用ＣＣＤラインセンサ４１Ａに表面ＳＨパルスが出力され、当該表面用ＣＣＤラインセンサ４１Ａから表面用シフトレジスタ４２Ａにラインデータが入力される第１出力期間Ｔ１中は、表面用シフトレジスタ４２Ａに転送パルスが入力されないようになっている。また、裏面用ＣＣＤラインセンサ４１Ｂに裏面ＳＨパルスが出力され、当該裏面用ＣＣＤラインセンサ４１Ｂから裏面用シフトレジスタ４２Ｂにラインデータが入力される第２出力期間Ｔ２中は、裏面用シフトレジスタ４２Ｂに転送パルスが入力されないようになっている。
【００４６】
図４は、解像度変換回路４６により行われる処理の一例を示したフローチャートである。解像度変換回路４６は、読取解像度設定部４８により設定された原稿の表面及び裏面の読取解像度が同じである場合には（ステップＳ１０１でＹｅｓ）、合成回路４５から出力されデジタル化された原稿の表面及び裏面の各画像データを解像度を変換することなく画像処理回路４７に入力する。
【００４７】
一方、読取解像度設定部４８により設定された原稿の表面及び裏面の読取解像度が異なる場合であって（ステップＳ１０１でＮｏ）、表面の読取解像度の方が裏面よりも低く設定されている場合には（ステップＳ１０２でＹｅｓ）、解像度変換回路４６は、合成回路４５から出力されデジタル化された原稿の表面及び裏面の各画像データのうち、表面の画像データの解像度を低下させる処理を行う（ステップＳ１０３）。
【００４８】
これに対し、読取解像度設定部４８により設定された原稿の表面及び裏面の読取解像度が異なる場合であって（ステップＳ１０１でＮｏ）、裏面の読取解像度の方が表面よりも低く設定されている場合には（ステップＳ１０２でＮｏ）、解像度変換回路４６は、合成回路４５から出力されデジタル化された原稿の表面及び裏面の各画像データのうち、裏面の画像データの解像度を低下させる処理を行う（ステップＳ１０４）。
【００４９】
本実施の形態では、表面用ＣＣＤラインセンサ４１Ａに表面ＳＨパルスを出力する第１出力期間Ｔ１と、裏面用ＣＣＤラインセンサ４１Ｂに裏面ＳＨパルスを出力する第２出力期間Ｔ２とを交互に切り替えて、その切替タイミングに応じて、１つの転送パルス出力部４４から出力する転送パルスを表面用シフトレジスタ４２Ａ及び裏面用シフトレジスタ４２Ｂに交互に切り替えて入力することができる。このようにして、表面用シフトレジスタ４２Ａ及び裏面用シフトレジスタ４２Ｂに入力された原稿の表面及び裏面の各ラインデータを転送パルスに基づいて転送することにより、２つのＣＣＤラインセンサ４１Ａ，４１Ｂを用いて原稿の両面を読み取ることができる。また、表面用シフトレジスタ４２Ａ及び裏面用シフトレジスタ４２Ｂへ転送パルスを出力する転送パルス出力部を別個に設ける必要がないので、製造コストをより低減することができる。
【００５０】
また、本実施の形態では、原稿の表面と裏面とで異なる読取解像度が設定された場合であっても、表面用ＣＣＤラインセンサ４１Ａ及び裏面用ＣＣＤラインセンサ４１ＢにＳＨパルスを出力する周期を変更することなく、解像度変換回路４６において、表面用シフトレジスタ４２Ａ及び裏面用シフトレジスタ４２Ｂから転送されデジタル化された原稿の表面及び裏面の各画像データのうち、読取解像度がより低く設定されている読取面の画像データの副走査方向の解像度を低下させることができる。したがって、表面用ＣＣＤラインセンサ４１Ａ及び裏面用ＣＣＤラインセンサ４１ＢにＳＨパルスを出力する周期を変更するような構成とは異なり、１つのＳＨパルス出力部４３を用いて一定の周期でＳＨパルスを出力することができるので、製造コストをさらに低減することができる。
【００５１】
以上の実施の形態では、原稿読取装置１の一例として、原稿の両面を表面用ＣＣＤユニット４Ａ及び裏面用ＣＣＤユニット４Ｂで読み取り、生成した原稿の両面の画像データをメモリに格納する構成について説明したが、このような原稿読取装置１が複写機などの画像形成装置に組み込まれることにより、生成された原稿の両面の画像データに基づく画像が用紙に印刷されるような構成であってもよい。
【図面の簡単な説明】
【００５２】
【図１】本発明の実施の形態による原稿読取装置の内部構成の一例を示した概略図である。
【図２】この原稿読取装置の電気的構成を示したブロック図である。
【図３】図２の原稿読取装置で原稿の両面を読み取る際に出力されるＳＨパルス及び転送パルスの波形図である。
【図４】解像度変換回路により行われる処理の一例を示したフローチャートである。
【図５】従来の原稿読取装置の一例を示したブロック図である。
【図６】図５の原稿読取装置で原稿の両面を読み取る際に出力されるＳＨパルス及び転送パルスの波形図である。
【符号の説明】
【００５３】
１  原稿読取装置
３  原稿搬送機構
４Ａ  表面用ＣＣＤユニット
４Ｂ  裏面用ＣＣＤユニット
４０  ＣＣＤ駆動回路
４１Ａ  表面用ＣＣＤラインセンサ
４１Ｂ  裏面用ＣＣＤラインセンサ
４２Ａ  表面用シフトレジスタ
４２Ｂ  裏面用シフトレジスタ
４３  ＳＨパルス出力部
４４  転送パルス出力部
４５  合成回路
４６  解像度変換回路
４７  画像処理回路
４８  読取解像度設定部
４９  Ａ／Ｄ変換回路
【図１】
2008227989.tif 000003
【図２】
2008227989.tif 000004
【図３】
2008227989.tif 000005
【図４】
2008227989.tif 000006
【図５】
2008227989.tif 000007
【図６】
2008227989.tif 000008